【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
各々の信頼値を有する複数のノードが、他のノードへの信頼度を示す重み値を有する複数の矢で結ばれている信頼ネットワークにおいて、以下の（ａ）から（ｃ）を含む手段で、同一のノード群に対してそれぞれの信頼値を有する第一の信頼ネットワークと第二の信頼ネットワークとを統合し第三の信頼ネットワークを構築する装置、
（ａ）前記第一の信頼ネットワークデータと前記第二の信頼ネットワークデータを受け入れる手段、
（ｂ）前記第一の信頼ネットワークの各ノードの信頼値から第一の平均値及び第一の標準偏差、並びに、前記第二の信頼ネットワークの各ノードの信頼値から第二の平均値及び第二の標準偏差を求める手段、
（ｃ）前記第一及び第二の信頼ネットワークの各ノードの信頼値、前記第一及び第二の平均値、並びに、前記第一及び第二の標準偏差に基づいて、第三の信頼ネットワークの各ノードの信頼値を求める手段。
【請求項２】
前記第三の信頼ネットワークの各ノードの信頼値を求める手段は、前記第一及び第二の信頼ネットワークの各ノードの信頼値の主成分分析を行い、その第一主成分に基づいて各ノードの信頼値を求める請求項１に記載の装置。
【請求項３】
各々の信頼値を有する複数のノードが、他のノードへの信頼度を示す重み値を有する複数の矢で結ばれている信頼ネットワークにおいて、以下の（ａ）から（ｄ）を含む手段で、同一のノード群に対してそれぞれの信頼値を有する三つ以上の信頼ネットワークを一つの信頼ネットワークに統合する装置、
（ａ）三つ以上の信頼ネットワークデータを受け入れる手段、
（ｂ）前記三つ以上の信頼ネットワークを第一及び第二の信頼ネットワーク群に分類する手段、
（ｃ）前記第一の信頼ネットワーク群の各ノードから第一の代表信頼値を、及び、前記第二の信頼ネットワーク群の各ノードから第二の代表信頼値を求める手段、
（ｄ）前記第一及び第二の代表信頼値に基づいて、前記統合された一つの信頼ネットワークの信頼値を求める手段。
【請求項４】
前記三つ以上の信頼ネットワークを第一及び第二の信頼ネットワーク群に分類する手段は、所与の信頼ネットワークの信頼値と、他の各信頼ネットワークの信頼値との相関係数に従って分類する請求項３に記載の装置。
【請求項５】
前記第一の代表信頼値を求める手段は、
（ａ）第一の信頼ネットワーク群に置ける各ノードの信頼値を基に第一の共分散行列を求める手段、
（ｂ）前記第一の共分散行列の固有値を求め、前記固有値に対応する第一の固有ベクトルを求める手段、
（ｃ）前記第一の信頼ネットワーク群に置ける各ノードの第一の信頼値、及び、前記第一の固有ベクトルに基づいて前記第一の信頼ネットワークの代表信頼値を求める手段、
を含み、
さらに、前記第二の代表信頼値を求める手段は、
（ｄ）第二の信頼ネットワーク群に置ける各ノードの信頼値を基に第二の共分散行列を求める手段、
（ｅ）前記第二の共分散行列の固有値を求め、前記固有値に対応する第二の固有ベクトルを求める手段、
（ｆ）前記第二の信頼ネットワーク群に置ける各ノードの第二の信頼値、及び、前記第二の固有ベクトルに基づいて前記第二の信頼ネットワークの代表信頼値を求める手段、
を含む請求項３及び４に記載の装置、
【請求項６】
前記第一の代表信頼値を求める手段は、前記第一の信頼ネットワーク群の各ノードの主成分分析により、
（ａ）第一主成分に基づいて第一の代表信頼値を求める手段、
（ｂ）所定の次元までの各主成分値の二乗和に基づいて第一の代表信頼値を求める手段、
（ｃ）所定の次元までの各主成分値の二乗値に重み付けしたうえで加算した値に基づいて第一の代表信頼値を求める手段、
の何れかの手段を用い、 さらに、 前記第二の代表信頼値を求める手段は、前記第二の信頼ネットワーク群の各ノードの主成分分析により、
（ａ）第一主成分に基づいて第二の代表信頼値を求める手段、
（ｂ）所定の次元までの各主成分値の二乗和に基づいて第二の代表信頼値を求める手段、
（ｃ）所定の次元までの各主成分値の二乗値に重み付けしたうえで加算した値に基づいて第二の代表信頼値を求める手段、
の何れか手段を用いる請求項３から５に記載の装置。
【請求項７】
各々の信頼値を有する複数のノードが、他のノードへの信頼度を示す重み値を有する複数の矢で結ばれている信頼ネットワークにおいて、コンピュータを制御して、以下の（ａ）から（ｃ）を含む手段を動作させ、同一のノード群に対してそれぞれの信頼値を有する第一の信頼ネットワークと第二の信頼ネットワークとを統合し第三の信頼ネットワークを構築するプログラム、
（ａ）前記第一の信頼ネットワークデータと前記第二の信頼ネットワークデータを受け入れる手段、
（ｂ）前記第一の信頼ネットワークの各ノードの信頼値から第一の平均値及び第一の標準偏差、並びに、前記第二の信頼ネットワークの各ノードの信頼値から第二の平均値及び第二の標準偏差を求める手段、
（ｃ）前記第一及び第二の信頼ネットワークの各ノードの信頼値、前記第一及び第二の平均値、並びに、前記第一及び第二の標準偏差に基づいて、第三の信頼ネットワークの各ノードの信頼値を求める手段。
【請求項８】
各々の信頼値を有する複数のノードが、他のノードへの信頼度を示す重み値を有する複数の矢で結ばれている信頼ネットワークにおいて、
コンピュータを制御して、以下の（ａ）から（ｄ）を含む手段を動作させ、同一のノード群に対してそれぞれの信頼値を有する三つ以上の信頼ネットワークを一つの信頼ネットワークに統合するプログラム、
（ａ）三つ以上の信頼ネットワークデータを受け入れる手段、
（ｂ）前記三つ以上の信頼ネットワークを第一及び第二の信頼ネットワーク群に分類する手段、
（ｃ）前記第一の信頼ネットワーク群の各ノードから第一の代表信頼値を、及び、前記第二の信頼ネットワーク群の各ノードから第二の代表信頼値を求める手段、
（ｄ）前記第一及び第二の代表信頼値に基づいて、前記統合された一つの信頼ネットワークの信頼値を求める手段。
【請求項９】
各々の信頼値を有する複数のノードが、他のノードへの信頼度を示す重み値を有する複数の矢で結ばれている信頼ネットワークにおいて、プログラムされたコンピュータによって、以下の（ａ）から（ｃ）を含むステップによって、同一のノード群に対してそれぞれの信頼値を有する第一の信頼ネットワークと第二の信頼ネットワークとを統合し第三の信頼ネットワークを構築する方法、
（ａ）前記第一の信頼ネットワークデータと前記第二の信頼ネットワークデータを受け入れるステップ、
（ｂ）前記第一の信頼ネットワークの各ノードの信頼値から第一の平均値及び第一の標準偏差、並びに、前記第二の信頼ネットワークの各ノードの信頼値から第二の平均値及び第二の標準偏差を求めるステップ、
（ｃ）前記第一及び第二の信頼ネットワークの各ノードの信頼値、前記第一及び第二の平均値、並びに、前記第一及び第二の標準偏差に基づいて、第三の信頼ネットワークの各ノードの信頼値を求めるステップ。
【請求項１０】
各々の信頼値を有する複数のノードが、他のノードへの信頼度を示す重み値を有する複数の矢で結ばれている信頼ネットワークにおいて、プログラムされたコンピュータによって、以下の（ａ）から（ｄ）を含むステップによって、同一のノード群に対してそれぞれの信頼値を有する三つ以上の信頼ネットワークを一つの信頼ネットワークに統合する方法、
（ａ）三つ以上の信頼ネットワークデータを受け入れるステップ、
（ｂ）前記三つ以上の信頼ネットワークを第一及び第二の信頼ネットワーク群に分類するステップ、
（ｃ）前記第一の信頼ネットワーク群の各ノードから第一の代表信頼値を、及び、前記第二の信頼ネットワーク群の各ノードから第二の代表信頼値を求めるステップ、
（ｄ）前記第一及び第二の代表信頼値に基づいて、前記統合された一つの信頼ネットワークの信頼値を求めるステップ。